(57)【要約】【課題】ツーピース型ウエットスーツの上衣及とズボンの分割部分を、従来のようにこはぜ折りにしなくても、容易に接合できることを目的とする。【解決手段】上衣３の裾の裏側周囲に防水性を有する生地からなる帯状部分７を配置し、この帯状部分７の上縁を水密的に前記上衣３の裏側周囲に固着し、上衣３の裾と裾帯状部分との間にズボン５の上方の胴部１１をサンドイッチ状に挟み、互いに接する部分にベルクロテープ１３（登録商標）を設けて固定する。さらに、このベルクロテープ１３（登録商標）の上下方向の中央に、補助ベルト１５を配置してズボン５の胴部１１を締める。この補助ベルト１５には前記ベルクロテープ１３（登録商標）と接して固定するベルクロテープ１３（登録商標）が設けられる。【選択図】図１
2004359026.tif 000002
【特許請求の範囲】
【請求項１】
ウエットスーツを構成する上衣及びズボンと、前記上衣の裾の裏側周囲に配置され防水性を有する生地からなる帯状部分と、この帯状部分の上縁を水密的に前記上衣の裏側周囲に固着する固着部分と、前記上衣の裾と前記裾帯状部分との間に前記ズボンの上方の胴部をサンドイッチ状に挟んだ状態で、互いに接する部分に設けられ、ずれを防止する脱着テープと、を有することを特徴とするウエットスーツ。
【請求項２】
前記互いに接する部分に設けられた前記脱着テープの上下方向の長さは、着衣する者の伸長の変化を補える長さを有することを特徴とする請求項１に記載のウエットスーツ。
【請求項３】
前記帯状部分の防水性を有する生地は、前記上衣の生地と同じネオプレン生地、もしくは同等の防水性、保温性を持つ伸縮可能な生地であり、この生地による前記サンドイッチ状の部分が着衣する者の腰椎部に位置するよう前記上衣及びズボンの上下寸法が設定されていることを特徴とする請求項１、又は２に記載のウエットスーツ。
【請求項４】
前記互いに接する部分に設けられた前記脱着テープの上下方向の中央に、前記ズボンの胴部を締める補助ベルトを配置し、この補助ベルトには前記脱着テープと接して機能する他の脱着テープが設けられていることを特徴とする請求項１、２、又は３に記載のウエットスーツ。
【請求項５】
ウエットスーツの手首部分又は足首部分を分割した分割部分と、この分割部分の一方の裏側周囲に配置され防水性を有する生地からなる帯状部分と、この帯状部分の上縁を水密的に前記分割部分の裏側に固着する固着部分と、前記分割部分の一方と前記裾帯状部分との間に前記分割部分の他方をサンドイッチ状に挟んだ状態で、防水機能を有することを特徴とするウエットスーツ。
【発明の詳細な説明】
【０００１】
【発明の属する技術分野】
この発明は、ウエットスーツに関し、特に、上衣及とズボンの分割部分、あるいは手首部分又は足首部分を分割した分割部分の構造に関する。
【０００２】
【従来の技術】
従来のウエットスーツの多くはワンピース型であり、着脱のために背中にジッパーが設けられ、このジッパーはウエットスーツの生地に比べて伸縮しないので前屈運動の際に破損したり、腰痛の発生の原因になっていた。
このような問題を解消できるツーピース型のウエットスーツが望まれるものの、現在提案されているツーピース型のもの（実用新案登録第３００７３３４号）は図５に示す構造を有する。すなわち、上衣２１の裾及びズボン２３の上方の胴部に夫々折り曲げ代Ｌを設け（同図（あ））、両折り曲げ代Ｌを重ねて下方向に向けて二度折り返し（同図（い）（Ａ）、いわゆるこはぜ折りにして（同図（い）（Ｂ）（Ｃ））接合するものであった
【０００３】
【発明が解決しようとする課題】
しかしながら、こはぜ折りの作業は面倒であり、胴部の全周にわたって完全なこはぜ折りを短時間で施すには熟練が必要であり、着衣する者が一人で作業するには困難を伴うものであった。
また、このこはぜ折りの部分は、ウエットスーツの生地が５重になっており（同図（う））、ごわごわ感があって運動中に違和感があり、また着衣して運動中に５重の部分がめくれてしまう可能性もあった。
この発明は、以上の課題を解決するためになされたもので、こはぜ折りにしなくても上衣及とズボンなどの分割部分を容易に接合でき、生地が５重になる部分も解消できるウエットスーツを提供することを目的とする。
【０００４】
【課題を解決するための手段】
以上の課題を解決するために、第一発明は、ウエットスーツを構成する上衣及びズボンと、前記上衣の裾の裏側周囲に配置され防水性を有する生地からなる帯状部分と、この帯状部分の上縁を水密的に前記上衣の裏側周囲に固着する固着部分と、前記上衣の裾と前記裾帯状部分との間に前記ズボンの上方の胴部をサンドイッチ状に挟んだ状態で、互いに接する部分に設けられ、ずれを防止する脱着テープと、を有することを特徴とするウエットスーツである。
【０００５】
第二発明は、さらに、前記互いに接する部分に設けられた前記脱着テープの上下方向の長さは、着衣する者の伸長の変化を補える長さを有することを特徴とするウエットスーツである。
第三発明は、さらに、前記帯状部分の防水性を有する生地は、前記上衣の生地と同じ特性を持つ生地であり、この生地による前記サンドイッチ状の部分が着衣する者の腰椎部に位置するよう前記上衣及びズボンの上下寸法が設定されていることを特徴とするウエットスーツである。
【０００６】
第四発明は、さらに、前記互いに接する部分に設けられた前記脱着テープの上下方向の中央に、前記ズボンの胴部を締める補助ベルトを配置し、この補助ベルトには前記脱着テープと接して機能する他の脱着テープが設けられていることを特徴とするウエットスーツである。
【０００７】
第五発明は、ウエットスーツの手首部分又は足首部分を分割した分割部分と、この分割部分の一方の裏側周囲に配置され防水性を有する生地からなる帯状部分と、この帯状部分の上縁を水密的に前記分割部分の裏側に固着する固着部分と、前記分割部分の一方と前記裾帯状部分との間に前記分割部分の他方をサンドイッチ状に挟んだ状態で、防水機能を有することを特徴とするウエットスーツである。
【０００８】
【発明の実施の形態】
この発明の実施の形態を、図１〜図３に示す。
図１（Ａ）に示すように、この実施形態においては、この発明が実施される分割部分は、ツーピース型のウエットスーツ１を構成する上衣３とズボン５との間の分割部分Ｂである。
【０００９】
図１（Ｂ）に示すように、分割部分Ｂにおいて、上衣３の裾の裏側周囲に、防水性を有する生地からなる帯状部分７が配置される。帯状部分７の上下の幅は例えば２０〜２５ｃｍ程度である。この帯状部分７の上縁は、接着や溶着などで水密的に上衣３の裏側周囲に固着される。この固着部分９は帯状部分７の上縁の全周に設けられる。
【００１０】
着衣時には、上衣３の裾と裾帯状部分との間に、ズボン５の上方の胴部１１をサンドイッチ状に挟む（図１（Ｂ）参照）が、この挟んだ状態で、上衣３の裾の裏側とズボン５の胴部１１の表側とが互いに接する部分に、ベルクロテープ１３ａ、１３ｂ（登録商標）が設けられる。
なお、上衣３の裾とズボン５の上方の胴部１１は、従来のものの寸法よりも５〜７ｃｍ程度狭くし、タイトにすることが防水性向上及び腰痛予防上望ましい。
【００１１】
ベルクロテープ１３（登録商標）は、脱着テープの一種で、パイル状の布（メス側）と硬い鉤針状の糸が出ている布（オス側）からなり、両布を手で押さえて固定でき、マジックテープ（登録商標）とも呼ばれている。
帯状部分７の防水性を有する生地は、上衣３の生地と同じネオプレン生地であり、この生地によるサンドイッチ状の部分が、着衣する者の腰椎部に位置するように、上衣３及びズボン５の上下寸法が設定されている。
【００１２】
このベルクロテープ１３（登録商標）は、周方向に５箇所程度設けられ、例えば各々幅は１０ｃｍ、上下方向の長さは１２ｃｍとする。この寸法は任意に定められるが、着衣する者の伸長の変化を補える長さにすることが望ましい。
【００１３】
このベルクロテープ１３（登録商標）の上下方向の略中央に、ズボン５の胴部１１を締める補助ベルト１５を配置する。この補助ベルト１５の表側には、上衣３の裾の裏側に設けられるベルクロテープ１３ａ（登録商標）と接して固定できる他のベルクロテープ１３ｃ（登録商標）が設けられている。同様に、この補助ベルト１５の裏側には、ズボン５の上方の胴部１１の表面に設けられるベルクロテープ１３ｂ（登録商標）と接して固定できる他のベルクロテープ１３ｂ（登録商標）が設けられている。このように補助ベルト１５の表裏に設けられるベルクロテープ１３ｃ、１３ｄ（登録商標）は、また、補助ベルト１５自身の両端部を固定するのにも機能する。補助ベルト１５はある程度の弾性を有し、着衣する者が運動する際に違和感を与えないようにする。
【００１４】
（着衣方法）
以上のツーピース型のウエットスーツ１の着衣方法は、まず、上衣３を着てズボン５をはく。次に、図２に示すように上衣３の裾をめくり、帯状部分７を露出させる。そして、この帯状部分７にズボン５の上方の胴部１１を深く被せる（図３）。ズボン５の胴部１１に設けられたベルクロテープ１３ｂ（登録商標）の上下方向の略中央で、上から補助ベルト１５を締める（図３）。このとき補助ベルト１５の表裏に設けられるベルクロテープ１３ｃ、１３ｄ（登録商標）によって、補助ベルト１５の両端が固定される。また、ズボン５の胴部１１に設けられたベルクロテープ１３ｂ（登録商標）に、補助ベルト１５の裏に設けられるベルクロテープ１３ｄ（登録商標）が接して、固定される。
【００１５】
その上から、上衣３の裾を被せる。これにより、補助ベルト１５の表面のべルクロテープ１３ｃ（登録商標）、及びズボン５の胴部１１に設けられたベルクロテープ１３ｂ（登録商標）の上下の残った端部が、上衣３の裾の裏側のベルクロテープ１３ａ（登録商標）と接して固定される。
【００１６】
（実施形態の作用効果）
このようにして上衣３とズボン５を接合することで、従来のようにこはぜ折りにしなくても容易に接合でき、生地が５重になる部分も解消できる。
また、従来のこはぜ折りの生地が５重になる部分（図５（う））において水の浸入ルートをたどると、中央のズボン５の２重の内部は浸入ルートを形成しないので、結局、こはぜ折りの上下幅を１往復半するＳ字状になる。これに対し、この実施形態においても、サンドイッチ状の上下幅を１往復するＶ字状になり、同じように浸入ルート内に水を閉じ込め、ほぼ同等の水密を期待できる。
【００１７】
また、補助ベルト１５により、更なる水密を得られる。さらに、この補助ベルト１５がベルクロテープ１３（登録商標）と機能して、上衣３とズボン５のずれ防止を高め、補助ベルト１５とウエットスーツ１のずれを防止する。これにより激しい運動をしても、ずれを生じない。
また、ベルクロテープ１３（登録商標）の上下方向の長さを例えば１２ｃｍとして、十分な長さとし、着衣する者の伸長の変化を補える。
また、ネオプレン生地によるサンドイッチ状の部分を、着衣する者の腰椎部に位置させることで、腰椎部の保温効果を高め腰痛を防止できる。
【００１８】
（他の実施形態）
以上の実施形態では、ベルクロテープ１３（登録商標）は、周方向に５箇所程度設けられるものであったが、他の実施形態では、４箇所以下、又は６箇所以上としてもよい。また、以上の実施形態では、サンドイッチ状の部分に設けられベルクロテープ１３（登録商標）は、上衣３の裾の裏側とズボン５の胴部１１の表側とに設けられるものであったが、他の実施形態では、ズボン５の胴部１１の裏側と帯状部分７の表側とに設けられるものとすることもできる。あるいは、これらの両者に、設けることもできる。
【００１９】
また、以上の実施形態では、上衣３は長袖上衣であり、ズボン５は長ズボンであったが、他の実施形態では、色々の組み合わせが可能である。例えば、図４に示すように、上衣３は、長袖上衣（図４（Ａ１））のほかに、半袖上衣（図４（Ａ２））、ノースリーブタイプのベスト型（図４（Ａ３））が可能であり、ズボン５は、長ズボン（図４（Ｂ１））のほかに半ズボン（図４（Ｂ２））が可能である。これらの種類の上衣３とズボン５を、任意に組み合わせることができる。
【００２０】
また、以上の実施形態では、発明が実施されるウエットスーツ１の分割部分は、ツーピース型のウエットスーツ１を構成する上衣３とズボン５との間の分割部分としたが、他の実施形態では、ウエットスーツ１の手首部分又は足首部分を分割した分割部分とすることができ、夫々、ダイビング用のグローブやブーツを容易に着脱できることになる。
この分割部分の周囲寸法は、従来のものの寸法よりも狭くし、タイトにして、より防水性を図ることが望ましい。
【００２１】
また、以上の実施形態では、補助ベルト１５を使用したが、他の実施形態では、必ずしも補助ベルト１５は必要ではない。
【００２２】
【発明の効果】
以上説明したように、第一、第二、第三、第四、又は第五発明によれば、従来のようにこはぜ折りにしなくてもウエットスーツの分割部分を容易に接合でき、生地が５重になる部分も解消できる。
また第二、第三、又は第四発明によれば、さらに、上衣及びズボンの分割部分で着衣する者の伸長の変化を補える。
また、第三、又は第四発明によれば、さらに、サンドイッチ状の部分を着衣する者の腰椎部に位置させることで、腰椎部の保温効果を高め腰痛を防止できる。
また第四発明によれば、さらに、ズボンの胴部を締める補助ベルトが脱着テープと機能して、水密性を高めると同時に、上衣とズボンのずれ防止を高め、補助ベルトとウエットスーツのずれを防止する。
【図面の簡単な説明】
【図１】（Ａ）は、この発明の一実施形態を示すウエットスーツの全体図、（Ｂ）は（Ａ）のＢ部分の縦断面図である。
【図２】図１のウエットスーツの着衣方法の前半部分を示す説明図である。
【図３】（Ａ）は、図１のウエットスーツの着衣方法の後半部分を示す説明図、（Ｂ）は（Ａ）で使用する補助ベルトの斜視図である。
【図４】（Ａ１）（Ａ２）（Ａ３）は各々ウエットスーツを構成する上衣の他の実施形態を示す図、（Ｂ１）（Ｂ２）は各々ウエットスーツを構成するズボンの他の実施形態を示す図である。
【図５】（あ）は、従来のツーピース型のウエットスーツを示す全体図、（い）は、（あ）のウエットスーツの着衣方法を（Ａ）（Ｂ）（Ｃ）の順に示す説明図、（う）は、（い）（Ｃ）の断面の拡大図である。
【符号の説明】
１．  ウエットスーツ、３．上衣、５．ズボン、７．帯状部分、９．固着部分、１１．胴部、１３．ベルクロテープ、１５．補助ベルト。
【図１】
2004359026.tif 000003
【図２】
2004359026.tif 000004
【図３】
2004359026.tif 000005
【図４】
2004359026.tif 000006
【図５】
2004359026.tif 000007